(57)【要約】【課題】  汚れた循環水や有機物や残渣等を含む廃水を浄水と不純物とに効果的、かつ確実に分離して夫々を自動排出すると共に自動逆洗手段を有する螺旋流入式ストレーナを提供する。【解決手段】  不純水入口部２から筒体１内に導入された不純水は、螺旋式整流羽根３により渦流化され、かつ勢いがついた状態で筒体１内で旋回し、遠心力等の作用により不純物を分離しながら濾過用スクリーン４側に送られる。不純物は濾過用スクリーン４により補促され、浄水は浄水排出部６から排出される。一方、不純物はドレンポット５から不純物排出部７を介して排出される。また、濾過用スクリーン４に補促されている不純物は自動逆洗手段２３により逆洗除去される。【選択図】  図１
0003123449.tif 000002
【実用新案登録請求の範囲】
【請求項１】
汚れた環境水及びゴムや有機物や残渣等を含む廃水等の不純水を分離濾過して分離された浄水と不純物とを夫々排出するためのストレーナであって、該ストレーナは、上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離された前記不純物を蓄溜するドレンポットと、これに連通する不純物排出部と、前記濾過用スクリーンとほぼ相対向する位置において前記筒体に連結される浄水排出部とを有することを特徴とする螺旋流入式ストレーナ。
【請求項２】
前記不純水吸入部側と前記不純物排出部側との間には前記濾過用スクリーンに補促されている前記不純物を弁開閉動作で自動除去する逆洗手段が介設されることを特徴とする請求項１に記載の螺旋流入式ストレーナ。
【請求項３】
前記ドレンポットには、不純物の渦流を防止するための整流板が設けられることを特徴とする請求項１に記載の螺旋流入式ストレーナ。
【請求項４】
前記濾過用スクリーンが前記不純物を殺菌する機能のある材料で形成されることを特徴とする請求項１に記載の螺旋流入式ストレーナ。
【請求項５】
前記螺旋式整流羽根及び濾過用スクリーンは、前記筒体から取り外し可能に収納されるものからなることを特徴とする請求項１に記載の螺旋流入式ストレーナ。
【請求項６】
前記不純物排出部には、自動弁が設けられることを特徴とする請求項１に記載の螺旋流入式ストレーナ。
【考案の詳細な説明】
【技術分野】
【０００１】
本考案は、汚れた循環水及び各種の不純物を含む廃水を浄水と不純物とを効果的に分離して排出するストレーナに係り、特に、これ等の作用が自動的に行われ、長時間使用される螺旋流入式ストレーナに関する。
【背景技術】
【０００２】
生活水準の向上や大量工業生産の多様化に伴い必要水量の多量化と共にその用途も多様化している。また、循環濾過処理としては風呂，プール，観賞池，工業施設等への洗浄水や冷却水とが使用され、空調設備にも多くの冷却水や洗浄水が用いられている。一方、廃水としては家庭廃水，工業廃水，畜産廃水，し尿処理廃水等極めて多くの廃水があり、これ等の廃水は河川に排出されている。そのため河川の汚染が生じこの汚染除去のための膨大な設備が必要となっている。このために前記循環水や廃水を処理する必要があり、従来より前処理としてストレーナが用いられている。従来使用されているストレーナとしては各種のものがあるが、一般的なものとしては手動式のものであり、上部バスケット取り出し口を開閉し、ストレーナバスケットを取り出し補促した不純物（有機物や残渣等）を除去し、再度組み込むものが使用されている。そのため、ランニングコストが大となる問題点がある。また、自動式のものもあるが、自動のための動力が必要となり、逆洗のための特別な設備が必要となり、装置も大型化しコスト高のものとなる問題点があった。また、ストレーナに関する公知技術としては各種のものがあるが、例えば、「特許文献１」に示すものが挙げられる。
【特許文献１】特開２０００−３３４２２３号（図１）
【考案の開示】
【考案が解決しようとする課題】
【０００３】
前記の「特許文献１」の「特開２０００−３３４２３号」の「旋回流式ストレーナ」は容器本体（１１）に接線方向から浮遊異物を含む不純水を流入し、これに乱れ発生羽根（３３）で乱水を付加しながら相対向して設けられているストレーナエレメント（２５）で不純物を補促除去し、除去した不純物は容器本体（１１）の内壁とストレーナエレメント（２５）の外面との間に形成されている旋回流水空間（２７）に連通するドレン管３１より排出し、浄水は容器本体（１１）の下部に連通されている流出接続管（１９）から排水する構成からなる。しかしながら、以上の構成では浄水と不純物との分離効果が少ないと共に浄水や不純物自動排出効率が低い問題点がある。また、この公知技術には逆洗手段が設けられている。
また、前記のように、従来一般に使用されているストレーナは、公知技術と同様に浄水と不純物との分離除去効果が少ないと共に、前記のようにコスト高のものであり、自動排水が簡単に出来ない問題点があった。
【０００４】
本考案は、以上の問題点を解決するものであり、不純物の分離除去が効果的に行われ、浄水及び不純物の自動排出も簡単にでき、自動逆洗もできる螺旋流入式ストレーナを提供することを目的とする。
【課題を解決するための手段】
【０００５】
本考案は、以上の目的を達成するために、請求項１の考案は、汚れた環境水及びゴムや有機物や残渣等を含む廃水等の不純水を分離濾過して分離された浄水と不純物とを夫々排出するためのストレーナであって、該ストレーナは、上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離された前記不純物を蓄溜するドレンポットと、これに連通する不純物排出部と、前記濾過用スクリーンとほぼ相対向する位置において前記筒体に連結される浄水排出部とを有することを特徴とする。
【０００６】
また、請求項２の考案は、前記不純水吸入部側と前記不純物排出部側との間には前記濾過用スクリーンに補促されている前記不純物を弁開閉動作で自動除去する逆洗手段が介設されることを特徴とする。
【０００７】
また、請求項３の考案は、前記ドレンポットには、不純物の渦流を防止するための整流板が設けられることを特徴とする。
【０００８】
また、請求項４の考案は、前記濾過用スクリーンが前記不純物を殺菌する機能のある材料で形成されることを特徴とする。
【０００９】
また、請求項５の考案は、前記螺旋式整流羽根及び濾過用スクリーンは、前記筒体から取り外し可能に収納されるものからなることを特徴とする。
【００１０】
また、請求項６の考案は、前記不純物排出部には、自動弁が設けられることを特徴とする。
【考案の効果】
【００１１】
本考案の請求項１の螺旋流入式ストレーナによれば、不純水入口部から筒体内に流入された不純水は不純水入口部の接線方向からの導入と螺旋式整流板による螺旋運動により、大きな渦流現象が生じた状態で下方の濾過用スクリーンの内部な導入される。そのため、不純物は濾過用スクリーンにより効果的に補促され、浄水と不純物が効果的に分離除去され、不純物は下方のドレンポット側に落下し、不純物の排出部より排水される。一方、分離された浄水は浄水排出部から外部に除去される。なお、以上の動作は筒体内での導入水が渦流状で大きな力を有するものからなり、内部圧力が高く、浄水や不純物の排出は自動的に行われる。
【００１２】
また、本考案の請求項２の螺旋流入式ストレーナによれば、濾過用スクリーンで補促された不純物は、弁開閉を用いた逆洗手段により自動的に除去され、常にスクリーン効果を発揮するように保持される。
【００１３】
また、本考案の請求項３の螺旋流入式ストレーナによれば、ドレンポット内には整流板が設けられるため、ドレンポット内での渦流が防止され、不純物が沈殿し、その排出を確実にすることができる。
【００１４】
また、本考案の請求項４の螺旋流入式ストレーナによれば、濾過用スクリーンを殺菌作用のある材料にすることにより、浄水や不純物の殺菌が同時に行われる。
【００１５】
また、本考案の請求項５の螺旋流入式ストレーナによれば、螺旋式整流羽根や濾過用スクリーンが筒体内に取り出し可能に収納されているため、これ等を定期的に清掃することができ、不純物の滞留によるこれ等の手段の効果の低減を防止することができる。なお、本考案の場合、補促された不純物により濾過用スクリーンに目詰まりが生じた場合、内部の圧力が上がり、螺旋流速が速くなり、これにより濾過用スクリーンの表面が洗浄され、不純物は下方に流される。そのため濾過用スクリーンは自動的に洗浄され、取り出して清浄化する必要はない。
【００１６】
また、本考案の請求項６の螺旋流入式ストレーナによれば、不純物排水部に自動弁を設けることにより、ドレンポットに溜っている不純物定期的及び自動的に筒体内の内部圧力を用いて自動的排出除去することができる。
【考案を実施するための最良の形態】
【００１７】
以下、本考案の螺旋流入式ストレーナの実施の形態を図面を参照して詳述する。  図１は本考案の螺旋流入式ストレーナ１００の全体構造を示す軸断面図である。螺旋流入式ストレーナ１００は、大別して筒体１と、不純水入口部２と、螺旋式整流羽根３と、濾過用スクリーン４と、ドレンポット５と、浄水を排出する浄水排出部６及び不純物（有機物や残渣）を排出する不純物排出部７等とからなる。
【００１８】
筒体１は、細長の中空状筒体からなり、詳細には上方筒体１ａと中間筒体１ｂと下方筒体１ｃの３分割されたものからなるが、勿論これに限定するものではない。上方筒体１ａの上面にはフランジ８が固定され下面にはフランジ９が固定される。また、中間筒体１ｂにもその上面にフランジ１０が固定され下面にもフランジ１１が固定される。また、下方筒体１ｃの上面にもフランジ１２が固定され下面にはフランジ１３が夫々固定される。上方筒体１ａのフランジ８には上蓋１４が当接して着脱可能に固定される。また、上方筒体１ａの下面のフランジ９と中間筒体１ｂの上面のフランジ１０と互いに当接して着脱可能に連結される。また、中間筒体１ｂの下面のフランジ１１は下方筒体１ｃの上面のフランジ１２に当接し着脱可能に固定される。なお、フランジ１３は筒体１の底面を形成するものである。また、上蓋１４には筒体１内の空気抜きのための自動空気抜弁１５が連結される。
【００１９】
不純水入口部２は筒体１内に不純水を導入するもので図２に示すように筒体１，詳細には上方筒体１ａの外周に接線方向に沿って連結される中空管体からなり、筒体１内に連通する。
【００２０】
螺旋式整流羽根３は上方筒体１ａ内に設けられる螺旋体からなり、上蓋１４の中心位置から垂下したガイド筒１６を中心として複数巻巻回された螺旋状羽根からなる。この螺旋式整流羽根３は不純水入口部２から導入された不純水を渦流にするものでこの螺旋式整流羽根３により動に有された不純水は非常な勢いで筒体１内を回転しながら下方に送られる。
【００２１】
濾過用スクリーン４は、不純水内の有機物や残渣等の不純物を補促して不純水を浄水と不純物とに分離するものである。この濾過用スクリーン４は中間筒体１ｂ内に収納され、その外面と中間筒体１ｂとの内周との間には空間部１７が形成される。上方筒体１ａから螺旋状で降下して来た不純水は濾過用スクリーン４内に入り、不純物を補促すると共に不純物の除去された浄水を前記の空間部１７に送る。浄水排出部６は空間部１７に連結し、不純物の除去された浄水を外部に排水する。
【００２２】
下方筒体１ｃにはドレンポット５が形成され、濾過用スクリーン４により補促された不純物はこのドレンポット５に溜る。ドレンポット５内には前記のように不純物が溜るが、このドレンポット５に導入される不純水は導入された螺旋状の水流により渦流状態になって導入されるため、このままでは不純物の補促が効果的に行われない。よって、ドレンポット５内には渦流を整流化する整流板１８が設けられる。この整流板１８の下方には不純物排出部７側に向かって傾斜する傾斜板１９が設けられている。不純物排出部７は整流板１８と傾斜板１９との間が空間２０に連通して下方筒体１ｃの外周に連結される。
【００２３】
図２に示すように、不純物排出部７には自動弁２１が設けられ、この自動弁２１はドレンポット５内の不純物の滞留状態を見て自動開閉するものであり、開放時には筒体１の内部圧力により、不純物が確実に排出される。
【００２４】
図３は整流板１８の一例を示すものであり、本実施例では等分（六等分）に仕切られた仕切板１８ａを有するものからなる。これにより、渦流が整流化される降下がある。
【００２５】
濾過用スクリーン４は内側に導入された不純水を濾過するもので、不純物は補促され浄水が外面側に排出される。この浄水は前記のように浄水排出部６から外部に排出される。この濾過用スクリーン４としては各種のものがあるが、例えば、図４（ａ）に示すパンチング材を用いたもの（ａ），金網を用いたもの（ｂ），平板及び丸棒巻きのもの（ｃ）やパンチングに網又は濾布を巻回したもの（ｄ）等が採用されるがこれ等に限定するものでない。濾過用スクリーン４により補促され分離された不純物はその下方にあるドレンポット５内に挿入されるが、この際に整流板１８により整流されてドレンポット５内に堆積される。不純物の堆積量がある程度になると自動弁２１が開放され、不純物は筒体１内の内部圧力を受けながら不純物排出部７から排出される。なお、濾過用スクリーン４は殺菌作用のある材料からなり、不純水の殺菌が行われる。
【００２６】
次に、本考案の螺旋流入式ストレーナ１００の作用を説明する。汚れた循環水は有機物や残渣等の不純物を含む廃水が不純水入口部２から筒体１の上方筒体１ａ内に接線方向から導入される。この不純水は螺旋式整流羽根３により渦流状に旋回され、遠心力等の作用を受けて不純物を分離しながら勢いよく中間筒体１ｂ側に送られる。そこで不純水は濾過用スクリーン４により濾過され、浄水と不純物とに分離される。浄水は空間１７から浄水排出部６に進み、外部に排出される。一方、濾過用スクリーン４により補促された不純物は、浄水として排出されない不純水と共にドレンポット５側に送られるが、一部の不純物は濾過用スクリーンに補促されたままの状態となる。ドレンポット５側に送られた不純物は自動弁２１の開放により間欠的に排出される。以上の作用により不純水は浄水化され不純物が排出されるが、長期間の使用により内部の各要素が汚れる。この際には筒体１の上方筒体１ａ，中間筒体１ｂ，下方筒体１ｃの連結を解放し、内部の各要素（螺旋式整流羽根３や濾過用スクリーン４等）をクリーニングして再生させる。
【００２７】
濾過用スクリーン４は取り外しにより再生されるが、この取り外しによる清浄化は通常行うことができない。よって、本考案の螺旋流入式ストレーナ１００では自動逆洗手段が設けられている。図５はその自動逆洗手段２３の一例を示すものである。図５に示すように螺旋流入式ストレーナ１００には（Ａ），（Ｂ），（Ｃ），（Ｄ）で示す。自動開閉弁２２が設けられている（説明の都合上、（Ａょ，（Ｂ），（Ｃ），（Ｄ），（Ｅ）の自動開閉弁を２２Ａ，２２Ｂ，２２Ｃ，２２Ｄ，２２Ｅと呼称する）。これ等の自動開閉弁２２Ａ等は図示のように配管されている管路に設けられている。螺旋流入式ストレーナ１００の通常のセパレータ作用時においては自動開閉弁２２Ａと２２Ｂが開放され、不純物の排出時には自動開閉弁２２Ｃ（自動弁２１に対応するもの）が開放される。
一方、逆洗時には自動開閉弁２２Ａ及び２２Ｂを閉止し、自動開閉弁２２Ｃ及び２２Ｄを開放する。これにより、濾過用スクリーン４に補促されている不純物が落下し、自動開閉弁２２Ｃを介して排出される。また、自動開閉弁２２上の開放により不純物や逆洗水が外部にすべて排出される。
【００２８】
以上の説明により螺旋流入式ストレーナ１００の構造と作用が説明されたが、本考案の螺旋流入式ストレーナ１００は、前記の構造のものに限定されるものではなく、同一の技術的範疇のものが適用されることは勿論である。
【産業上の利用分野】
【００２９】
本考案の螺旋流入式ストレーナは前記のような構造のセパレータに使用されるのみならず、他の形式のものにも適用され、その利用範囲は広い。
【図面の簡単な説明】
【００３０】
【図１】本考案の螺旋流入式ストレーナの全体構造を示す軸断面図。
【図２】図１の上面図。
【図３】本考案の螺旋流入式ストレーナの整流板を示す図１のＡ−Ａ線断面図。
【図４】本考案の螺旋流入式ストレーナに使用される濾過用スクリーンの実施例を示す部分断面図。
【図５】本考案の螺旋流入式ストレーナの逆洗手段の一例を示す回路図。
【符号の説明】
【００３１】
１      筒体
１ａ    上方筒体
１ｂ    中間筒体
１ｃ    下方筒体
２      不純水入口部
３      螺旋式整流羽根
４      濾過用スクリーン
５      ドレンポット
６      浄水排出部
７      不純物排出部
８      フランジ
９      フランジ
１０    フランジ
１１    フランジ
１２    フランジ
１３    フランジ
１４    上蓋
１５    自動空気抜弁
１６    ガイド筒
１７    空間部
１８    整流板
１８ａ  仕切板
１９    傾斜板
２０    空間
２１    自動弁
２２    自動開閉弁
２２Ａ  自動開閉弁
２２Ｂ  自動開閉弁
２２Ｃ  自動開閉弁
２２Ｄ  自動開閉弁
２２Ｅ  自動開閉弁
２３    自動逆洗手段
１００  螺旋流入式ストレーナ
【図１】
0003123449.tif 000003
【図２】
0003123449.tif 000004
【図３】
0003123449.tif 000005
【図４】
0003123449.tif 000006
【図５】
0003123449.tif 000007